(57)【要約】      （修正有）【課題】ピックアップ装置の設置に伴う木工作業工程の手順を省き、同時に音伝導の障害になりうる楽器本体の木製部分の容量減少を阻止し、弦と装置のクリアランス調整装置を内蔵せしめた設置装置に、音の特性を左右せしめるピックアップ装置の設置位置変更を容易にした特性を持たせ、併せてピックアップ装置の交換を容易せしめる構造を提供する。【解決方法】０６の差し込みをピックアップ装置に追加することにより、ギター本体の加工部分を０４のレール部分のみに限定する。弦を固定するブリッジと呼ばれる部品よりの距離によって発生する音特性の変化を享受せしめるために、レールをピックアップ装置の設置可能範囲全域に延長する。０６の差し込みを回転方向調節装置により回転させ、弦とピックアップ装置のポールピースの間隔を一致させる。０４のレールにクリアランス調節装置を追加し、ピックアップ装置と弦のクリアランス調整を可能せしめる。【選択図】図１
2005043850.tif 000002
【特許請求の範囲】
【請求項１】
弦楽器の胴部に設置され、弦の振動を電気信号に変換するためのピックアップ装置の設置および着脱を、容易に可能せしめる差し込み式ピックアップ装置。
【請求項２】
ピックアップ装置の弦端よりの距離によって著しく異なる音特性を、弦長のネック部分以外のピックアップ装置設置可能な全域に置いて享受せしめる、クリアランス調整装置付きの、前記差し込み式ピックアップ装置の受け口にあたるレール式のピックアップ固定装置。
【請求項３】
各弦と、本来弦直下に位置するべきピックアップ装置のポールピース部分において、しばしば発生する横方向のずれを解消する回転装置。
【発明の詳細な説明】
【技術分野】
【０００１】本発明は、ピックアップ装置に関し、更に詳細にはピックアップ装置の設置方法と、ピックアップ装置の移動、回転、位置調整、着脱に関する。
【背景技術】
【０００２】一般に、ギターなどの弦楽器の高周波成分を含む弦振動から各弦毎に検出する装置としてピックアップ装置が知られている。【０００３】このピックアップ装置のギター胴部への設置には、装置自体の大きさよりも、幾分大きめに胴部を掘り、ネジによって本体へ固定する方法が広く取られている。ギターシンセ用の特殊なピックアップには、胴部に直接ネジ止めする物もあり（例えば、特許文献１参照。）、弦の固定装置であるブリッジにピエゾ式ピックアップを組み込むもの（例えば、特許文献２、３参照。）、もあるが、いずれの方法でもピックアップ装置を固定してしまう事により、設置場所によって異なる音色を享受する事は出来ない。【０００４】こうした取り付け方法により、ギターの音特性に重大なる影響を及ぼすピックアップ装置の設置位置は設置作業終了時において固定され、演奏者によるピックアップ装置の変更及び設置位置の調節を難しくしている。
【特許文献１】特許公開平９−１０６２８７
【特許文献２】特許公開２０００−１３７４８８
【特許文献２】特許公開２００３−０１５６４４
【発明の開示】
【本発明が解消しようとする課題】
【０００５】本発明は、従来の技術の有する上記のような問題点に鑑みてなされたものであり、その目的とする所は、従来の設置方法には不可能な木工作業工程によって発生するギター胴部の容量減少をおさえ、現状でも調整可能なクリアランス調整を可能せしめたまま、ピックアップ装置本体の位置変更を自由に行える装置を開発し、以てピックアップ装置自体の交換作業の簡易化を図り、構成部分の１元化によって部品種類を削減して製造コストを低減させると共に、作業自体の行程を省くことにより人件費の低減を図るものである。
【課題を解決するための手段】
【０００６】ピックアップ装置設置に差し込み式のプラグを採用し着脱を簡易化し、プラグ受け口をレール状の固定装置とし、縦方向の移動を可能せしめ、レール自体を上下させる装置によりクリアランスを確保する。
以下、図面に基づいて、本発明によるピックアップ設置装置を詳細に説明する。なお、図１に示したクリアランス確保装置０２に関しては、図５に示した０４ｃのレール内蔵型クリアランス確保装置１３に装着する場合、これを存在しないものとして説明する。
【０００７】図１は、本発明によるピックアップ設置装置の第一及び第二の実施の形態を示す。
【０００８】このピックアップは図２に個別に示された差し込み０６を一つ、もしくは複数個有し、レール上の差し込み口０４に設置される。
【０００９】装置０６を一つ有するピックアップ装置０１ａは、図２に示された扇状の仕組みにより、図３に示された回転運動を可能にし、これに因って弦間隔とピックアップ装置のポールピースに発生する縦方向のずれを解消せしめる。
【００１０】非伝導素材によって作られた装置０６は、伝導体によって作られた０７ａや０７ｂを介して、レール部分０４に内蔵された０４ｂに接し、これに因って電気信号を伝達する。
【００１１】後述する装置０４もしくは０４ｂを設置したギターに装着する場合、ピックアップ装置両端に設置された０２により弦とのクリアランスを調節する。０２ａは軸に回転を与えることによって上下動することを可能せしめるためのつまみであり、０２ｂはギター本体と接地し、クリアランスを調節するものである。
【００１２】これらの装置により、図３に示されたように、ピックアップ装置の設置位置は容易に変更することが出来、従来の方法でも可能であったクリアランス解消に支障をきたすことなく、新たな調整方法を加える事を可能せしめた。
【００１３】図４はこれらの装置を使用し、現在知られている様々なピックアップ設置のバリエーションを可能せしめた模範図である。
【００１４】１４はレール式のピックアップ移動装置０４を複数個使用した場合を示す。
【００１５】１５は１２のピックアップ装置を固定し、もう一つのピックアップ装置を移動式にした場合を示す。
【００１６】１６はレール式のピックアップ移動装置を３つ使用し、現状では不可能な細かな設置位置変更を行ない、割それぞれのピックアップ装置で弦との横方向のずれを解消せしめるバリエーションである。
【新たな課題】
【００１７】ピックアップ装置０１に装着されたクリアランス調整装置である０２により、差し込みプラグが上下動する場合に発生することが予測される電気ノイズを廃し、割ギターシンセサイザー等に使用した場合、ピックアップ装置より検出可能な電気信号を増やすことを図る。
【００１８】図５の３連レール式のピックアップ移動装置により、０６それぞれの接点を増やし、割１３のレール本体を上下動させるクリアランス調整装置により上下動することの無くなった０６にい取り付けられた電気信号伝達のための接点０７を縦方向に増設させる事を可能せしめる。
【００２０】図５に示された３連式のレールは、それぞれ１３ｃの横木によって固定され、ギター本体に固定される１３ａとの間に渡された１３ｂのネジによって本体の上下方向への調節を可能せしめられている。
【００２１】これによりレールに差し込まれたピックアップ装置は接点を固定され、縦方向への電極の増加を可能とする。
【００２２】図６に示された０１ａは真ん中のレールのみを使用し、０６の固定部分である芯０９の回りに施された扇子状のざくり１０によって回転方向への調整を可能とする。
【発明の効果】
【００２３】本発明は、以上説明したように構成され、以下のような効果を奏する。
【００２４】弦楽器の胴部に設置され、弦の振動を電気信号に変換するためのピックアップ装置の着脱を、差し込み式ソケットによって設置することによって、設置や交換を容易にする。
【００２５】木工作業行程がレール部分のみに限定されるため製造工程が短縮化される。
【００２６】木工作業行程が減少、もしくは廃されることにより、ギター胴部の無駄な容量減少が避けられ、胴部の振動伝達特性が向上する事により、胴部自体を薄化する事も可能せしめる。
【００２７】ピックアップ装置の弦端よりの距離、および設置位置によって異なる音特性を、弦長のネック部分以外のピックアップ装置設置可能な全域に置いて享受せしめることにより、現状の方法では発生不可能な音を提供し、演奏中の変更をも可能にする。
【００２８】各弦と、本来弦直下に位置するべきピックアップ装置のポールピース部分において、しばしば発生する横方向のずれを、木工作業無しで解消せしめる。
【００２９】弦とピックアップ装置自体のクリアランス調整を可能せしめる。
【００３０】レールの複数化や差し込み口の電極を複数層化することにより、ピックアップ装置より導き出される電極の数を増やし、ギターシンセサイザーピックアップへの応用も可能とする。
【産業上の利用可能性】
【００３１】現状では不可能もしくは手間のかかる演奏者の細かな欲求に答える事を可能にした発明であり、技術的に難易なものでもなく、製造工程を減少させ、コストを削減する発明であり、利用の可能性は高いと推測される。
【図面の簡単な説明】
【００３２】
【図１】本発明による新しい構造のピックアップ装置２種の設置時正面図。
【図２】差し込みプラグと固定部分の拡大図。
【図３】装着時の調整可能部分を示した平面図。
【図４】装着の可能性のバリエーションを示した平面図。
【図５】復連式レール型差し込み口とそれのクリアランス調節装置。
【図６】復連式レールを装着した場合の予想平面図。
【符号の説明】
【００３３】０１      ピックアップ装置
０２      弦とピックアップのクリアランス調節装置
０３      ギター胴部
０４      レール式差し込み口
０５      電極
０６      差し込みプラグ
０７      電極
０８      ２芯構造の回転可能な固定装置
０９      ０８の固定部分
１０      扇子状の回転方向調節装置
１１      ギター胴部
１２      固定式従来型ピックアップ装置
１３      レール式差し込み口のクリアランス調節装置
【図１】
2005043850.tif 000003
【図２】
2005043850.tif 000004
【図３】
2005043850.tif 000005
【図４】
2005043850.tif 000006
【図５】
2005043850.tif 000007
【図６】
2005043850.tif 000008